(57)【要約】【課題】表示画面に主画像とともに副画像を表示するとき、副画像を表示するために主画像を縮小する必要がない表示装置および撮像装置を提供する。【解決手段】本発明は、主画像および副画像を表示する表示モニタ３０１と、主画像のアスペクト比が表示モニタ３０１のアスペクト比と略同一の場合、副画像を主画像に重ねて表示し、主画像のアスペクト比が表示モニタ３０１のアスペクト比と異なる場合、表示モニタ３０１の主画像を表示した余白領域に副画像を表示する表示制御手段とを備える。【選択図】図２
2008294705.tif 000002
【特許請求の範囲】
【請求項１】
主画像および副画像を表示する表示器と、
前記主画像のアスペクト比が前記表示器のアスペクト比と略同一の場合、前記副画像を前記主画像に重ねて表示し、前記主画像のアスペクト比が前記表示器のアスペクト比と異なる場合、前記表示器の前記主画像を表示した余白領域に前記副画像を表示する表示制御手段とを備えることを特徴とする表示装置。
【請求項２】
請求項１の表示装置において、
前記主画像に重畳表示される副画像は、前記主画像より小さい半透明の１枚もしくは複数枚の小画像であることを特徴とする表示装置。
【請求項３】
請求項２の表示装置において、
前記前記表示器の余白領域に表示される副画像は、前記主画像より小さい１枚もしくは複数枚の小画像であることを特徴とする表示装置。
【請求項４】
請求項１乃至３のいずれか１項の表示装置において、
前記主画像および副画像は、スルー画像および再生画像のいずれかであることを特徴とする表示装置。
【請求項５】
請求項１乃至４のいずれか１項の表示装置と、
撮像画像のアスペクト比を切り替える切替手段を備えることを特徴とする撮像装置。
【請求項６】
請求項１乃至５のいずれか１項に記載の表示装置において、
前記表示器のアスペクト比、前記主画像のアスペクト比は、１６：９または４：３であることを特徴とする表示装置。
【請求項７】
請求項１乃至６のいずれか１項に記載の表示装置において、
前記表示制御手段は、前記副画像を前記主画像に重ねて半透明で表示する場合、前記主画像に応じて、前記表示器における前記副画像の表示位置を変更することを特徴とする表示装置。
【請求項８】
請求項７に記載の表示装置において、
前記表示制御手段は、前記主画像が顔認識機能を動作させて撮影された画像である場合、前記主画像に重ねて半透明で表示された副画像を、前記顔認識機能により認識した顔の位置と重複しない位置に表示することを特徴とする表示装置。
【請求項９】
請求項７に記載の表示装置において、
前記表示制御手段は、前記副画像を前記主画像に重ねて半透明で表示する場合、前記主画像における焦点調整領域と重複しない位置に前記副画像を表示することを特徴とする表示装置。
【請求項１０】
請求項１乃至９のいずれか１項に記載の表示装置において、
前記表示制御手段は、前記副画像を前記主画像に重ねて半透明で表示する場合、前記主画像の明度、彩度、色相、輝度のうちの少なくともひとつに応じて、前記副画像の明度、彩度、色相、輝度のうちの少なくともひとつを変更することを特徴とする表示装置。
【請求項１１】
請求項１乃至１０のいずれか１項に記載の表示装置において、
前記表示制御手段は、前記副画像を前記主画像に重ねて半透明で表示する場合、前記主画像の明度、彩度、色相、輝度のうちの少なくともひとつに応じて、前記副画像の透過率を変更することを特徴とする表示装置。
【請求項１２】
請求項１乃至１１のいずれか１項に記載の表示装置において、
前記表示制御手段は、前記主画像に重ねて前記主画像に関する情報を表示した半透明情報表示画像を表示することを特徴とする表示装置。
【請求項１３】
請求項１乃至１２のいずれか１項に記載の表示装置と、
被写体を撮像する撮像素子と、
前記撮像素子で撮像した画像データを記録メディアに記録する記録手段とを備えることを特徴とする撮像装置。
【発明の詳細な説明】
【技術分野】
【０００１】
本発明は、撮影した画像を表示する表示装置および撮像装置に関する。
【背景技術】
【０００２】
表示モニタの画像表示領域にスルー画像または再生画像を表示するとともに、その余白領域に再生画像またはスルー画像を表示する撮像装置が従来技術として知られている（たとえば、特許文献１参照）。
【特許文献１】特開２００５−２６０７９８号公報
【発明の開示】
【発明が解決しようとする課題】
【０００３】
特許文献１に記載されているような撮像装置では、余白領域を設けなくてはならないために、画像表示領域に表示するスルー画像または記録メディアに記録されている画像を縮小しなくてはならない場合があるという問題点がある。
【課題を解決するための手段】
【０００４】
（１）請求項１の発明の表示装置は、主画像および副画像を表示する表示器と、主画像のアスペクト比が表示器のアスペクト比と略同一の場合、副画像を主画像に重ねて表示し、主画像のアスペクト比が表示器のアスペクト比と異なる場合、表示器の主画像を表示した余白領域に副画像を表示する表示制御手段とを備えることを特徴とする。
（２）請求項２の発明は、請求項１の表示装置において、主画像に重畳表示される副画像は、主画像より小さい半透明の１枚もしくは複数枚の小画像であることを特徴とする。
（３）請求項３の発明の表示装置は、請求項２の表示装置において、表示器の余白領域に表示される副画像は、主画像より小さい１枚もしくは複数枚の小画像であることを特徴とする。
（４）請求項４の発明は、請求項１乃至３のいずれか１項の表示装置において、主画像および副画像は、スルー画像および再生画像のいずれかであることを特徴とする。
（５）請求項５の発明は、請求項１乃至４のいずれか１項の表示装置と、撮像画像のアスペクト比を切り替える切替手段を備えることを特徴とする。
（６）請求項６の発明は、請求項１乃至５のいずれか１項に記載の表示装置において、表示器のアスペクト比、主画像のアスペクト比は、１６：９または４：３であることを特徴とする。
（７）請求項７の発明は、請求項１乃至６のいずれか１項に記載の表示装置において、表示制御手段は、副画像を主画像に重ねて半透明で表示する場合、主画像に応じて、表示器における副画像の表示位置を変更することを特徴とする。
（８）請求項８の発明は、請求項７に記載の表示装置において、表示制御手段は、主画像が顔認識機能を動作させて撮影された画像である場合、主画像に重ねて半透明で表示された副画像を、顔認識機能により認識した顔の位置と重複しない位置に表示することを特徴とする。
（９）請求項９の発明は、請求項７に記載の表示装置において、表示制御手段は、副画像を主画像に重ねて半透明で表示する場合、主画像における焦点調整領域と重複しない位置に副画像を表示することを特徴とする。
（１０）請求項１０の発明は、請求項１乃至９のいずれか１項に記載の表示装置において、表示制御手段は、副画像を主画像に重ねて半透明で表示する場合、主画像の明度、彩度、色相、輝度のうちの少なくともひとつに応じて、副画像の明度、彩度、色相、輝度のうちの少なくともひとつを変更することを特徴とする。
（１１）請求項１１の発明は、請求項１乃至１０のいずれか１項に記載の表示装置において、表示制御手段は、副画像を主画像に重ねて半透明で表示する場合、主画像の明度、彩度、色相、輝度のうちの少なくともひとつに応じて、副画像の透過率を変更することを特徴とする。
（１２）請求項１２の発明は、請求項１乃至１１のいずれか１項に記載の表示装置において、表示制御手段は、主画像に重ねて主画像に関する情報を表示した半透明情報表示画像を表示することを特徴とする。
（１３）請求項１３の発明の撮像装置は、請求項１乃至９のいずれか１項に記載の表示装置と、被写体を撮像する撮像素子と、撮像素子で撮像した画像データを記録メディアに記録する記録手段とを備えることを特徴とする。
【発明の効果】
【０００５】
本発明によれば、副画像を表示するための余白領域を表示画面に設けるために、主画像を縮小する必要がない。
【発明を実施するための最良の形態】
【０００６】
以下、図を参照して本発明の実施の形態を説明する。図１は本発明の実施形態による撮像装置１を示す図である。図１（ａ）は撮像装置１を斜め前方から見た図あり、図１（ｂ）は撮像装置１を斜め後方から見た図である。図１（ａ）に示すように、撮像装置１の正面には、撮像光学系１０１を構成する撮影レンズ１０１Ａが設けられている。撮像装置１の上面には、撮影動作を行わせるためのレリーズボタン４０１が設けられている。この撮像装置１は、被写体を撮影したときの画像データを不図示のメモリカードに記録する撮影モードと、カメラ背面に設けられた表示モニタ３０１に撮像画像を再生表示する再生モードとを備えている。この撮影モードと再生モードとの切換操作は、撮影再生切替ボタン４０２により行う。
【０００７】
撮影モードで被写体を撮影したとき、画像データとともに撮影条件（ＥＸｉｆ（ Exchangeable Image File Format ）情報など）のデータもメモリカードに記憶する。また、被写体を撮影すると、撮影した画像のサムネイル画像も作成し、そのサムネイル画像の画像データも撮影した画像の画像データとともにメモリカードに記憶する。
【０００８】
図１（ｂ）に示すように、撮像装置背面には、画像表示用の表示モニタ３０１と、操作ボタン４０２〜４０６とが設けられている。撮影モード時には、後述するＣＣＤ１０２により撮像された被写体像が表示モニタ３０１に逐次表示される。以下、このように逐次表示される画像をスルー画像と呼ぶ。スルー画像とは、たとえば、レンズ一体型カメラの電源を投入した後に、撮像を繰り返しながら表示モニタ３０１に実時間で表示される画像である。一方、再生モード時には、メモリカードに記録されている画像のサムネイル表示や、個々の画像の再生表示などが表示モニタ３により行われる。本発明の実施形態における撮影モード時および再生モード時における表示モニタ３０１の画像表示については後述する。
【０００９】
４０３は、各種設定を行う際の設定メニューを表示モニタ３０１に表示させるためのメニューボタンである。メニューボタン４０３を操作して設定メニューを表示させ、選択スイッチ４０４を操作することにより設定すべき項目を選択することができる。
【００１０】
４０５は、撮影モード時および再生モード時において、サムネイル画像や撮影条件などを表示するためのクイックビューボタンである。撮影モード時に、クイックビューボタン４０５が操作されると、撮影済みの画像のサムネイル画像や撮影の設定条件がスルー画像とともに表示される。また、再生モード時に、クイックビューボタン４０５が操作されると、再生画像上に、メモリカードに記録されている他の３つの画像がサムネイル画像として重ねて表示される。あるいは、再生画像のＥｘｉｆ情報が再生画像と重ねて表示される。
【００１１】
表示モニタ３０１のアスペクト比がスルー画像のアスペクト比と略同じであるときは、サムネイル画像や撮影の設定条件をスルー画像に重ねて表示する。表示モニタ３０１のアスペクト比がスルー画像のアスペクト比と異なるときは、サムネイル画像や撮影の設定条件を表示モニタ３０１の表示画面の余白領域に表示する。
【００１２】
一方、表示モニタ３０１のアスペクト比が再生画像のアスペクト比と略同じであるときは、サムネイル画像や撮影の設定条件を再生画像に重ねて表示する。表示モニタ３０１のアスペクト比がスルー画像のアスペクト比と異なるときは、サムネイル画像や撮影の設定条件を表示モニタ３０１の表示画面の余白領域に表示する。
【００１３】
４０６は、撮影モード時および再生モード時において各種カメラ設定を行うための設定ボタンである。設定ボタン４０６は、撮影モード時にはフォーカスモード設定をするフォーカスモードボタンとして機能し、再生モード時には表示モニタ３０１にサムネイル画像を表示させるためのサムネイルボタンとして機能する。
【００１４】
図２は、撮像装置１の構成を示すブロック図である。本実施の形態の撮像装置は、ＣＣＤ撮像素子１０２を有する撮像部１００、システムＬＳＩ２０１を主体とするデジタル回路部２００、画像再生部３００および操作部４００等により構成されている。また、メモリカード５００は撮像装置１に対して着脱自在に設けられている。ＣＣＤ撮像素子１０２は複数の画素が二次元的に配設されたエリア型の撮像素子であり、ＣＣＤ撮像素子１０２の撮像面上には撮影光学系１０１により被写体像が結像される。本実施形態では、撮像素子としてＣＣＤ型の撮像素子を例に説明するが、ＭＯＳ型の撮像素子などでもよい。ＣＣＤ撮像素子１０２において被写体像は光電変換され、被写体像に応じた電気信号がＣＣＤ撮像素子１０２からアナログ信号処理回路１０３に入力される。
【００１５】
アナログ信号処理回路１０３はＡＧＣ（利得制御回路）やＣＤＳ（相関二重サンプリング回路）などを含んでおり、入力された画像信号に対してゲイン調整や雑音除去等のアナログ信号処理を行う。アナログ信号処理が施された画像信号はＡ／Ｄ変換回路１０４によってデジタル信号に変換され、デジタル回路部２００のシステムＬＳＩ２０１に入力される。ＴＧ（タイミングジェネレータ）回路１０５はＣＣＤ撮像素子１０２，アナログ信号処理回路１０３およびＡ／Ｄ変換回路１０４のそれぞれに動作タイミング信号を出力し、これらの間の動作タイミングを制御する。
【００１６】
デジタル回路部２００のシステムＬＳＩ２０１では、Ａ／Ｄ変換回路１０４から入力されたデジタル画像データに対して、画像サイズ変更、ホワイトバランス処理、ガンマ補正等のデジタル信号処理およびデータ圧縮処理などが行われる。プログラムメモリを構成するＲＯＭ２０３にはこれらの処理に関するプログラムや撮像装置全体の制御プログラムが記憶されており、不図示のメインスイッチがオンされるとシステムＬＳＩ２０１により制御プログラムが実行される。画像メモリを構成するＲＡＭ２０２は、撮像部１００から入力された画像データの一時記憶や各種画像処理や画像圧縮／伸張処理の際のバッファメモリとして利用される。
【００１７】
画像再生部３００には、上述した表示モニタ３０１と、その表示モニタ３０１の駆動制御を行うモニタコントローラ３０２とが設けられている。操作部４００は、上述したレリーズボタン４０１、撮影再生切替ボタン４０２、メニューボタン４０３、選択スイッチ４０４、クイックビューボタン４０５および設定ボタン４０６などで構成される。
【００１８】
−撮影モード−
次に、本発明の実施形態における撮影モード時の表示モニタ３０１の画像表示について説明する。表示モニタ３０１の画像表示は、表示モニタ３０１のアスペクト比と表示画像のアスペクト比との関係によって異なる。なお、図示しないメニューにより、撮像画像のアスペクト比を１６対９および４対３のいずれか一方に設定することができる。
【００１９】
表示モニタ３０１Ａのアスペクト比が１６対９であり、スルー画像１０Ａのアスペクト比も１６対９である場合について図３を参照して説明する。図３（ａ）に示すように、スルー画像１０Ａが表示モニタ３０１に表示されているとき、クイックビューボタン４０５を押圧する。その結果、図３（ｂ）に示すように、スルー画像１０Ａの側方に重ねて、撮影済みの画像のサムネイル画像２０Ａ〜２０Ｃが表示される。サムネイル画像２０Ａ〜２０Ｃは半透明で表示されるため、スルー画像１０Ａのサムネイル画像２０Ａ〜２０Ｃと重なった部分についても視認可能となる。
【００２０】
表示モニタ３０１Ａのアスペクト比が１６対９であり、スルー画像１０Ｂのアスペクト比が４対３である場合について図４を参照して説明する。図４（ａ）に示すように、スルー画像１０Ｂが表示モニタ３０１に表示されているとき、クイックビューボタン４０５を押圧する。その結果、図４（ｂ）に示すように、スルー画像１０Ｂの余白領域１１Ｂに、撮影済みの画像のサムネイル画像２０Ａ〜２０Ｃが表示される。この場合、サムネイル画像２０Ａ〜２０Ｃは不透明である。サムネイル画像２０Ａ〜２０Ｃはスルー画像１０Ｂの余白領域１１Ｂに表示されるため、スルー画像１０Ｂの表示を妨げない。なお、図４（ｂ）のスルー画像１０Ｂは、図４（ａ）の表示位置から左側へずらして表示される。
【００２１】
表示モニタ３０１Ｂのアスペクト比が４対３であり、スルー画像１０Ｂのアスペクト比も４対３である場合について図５を参照して説明する。図５（ａ）に示すように、スルー画像１０Ｂが表示モニタ３０１に表示されているとき、クイックビューボタン４０５を押圧する。その結果、図５（ｂ）に示すように、スルー画像１０Ｂに重ねて、撮影済みの画像のサムネイル画像２０Ａ〜２０Ｃが表示される。サムネイル画像２０Ａ〜２０Ｃは半透明で表示されるため、スルー画像１０Ｂのサムネイル画像２０Ａ〜２０Ｃと重なった部分についても視認可能となる。
【００２２】
表示モニタ３０１Ｂのアスペクト比が４対３であり、スルー画像１０Ａのアスペクト比が１６対９である場合について図６を参照して説明する。図６（ａ）に示すように、スルー画像１０Ａが表示モニタ３０１に表示されているとき、クイックビューボタン４０５を押圧する。その結果、図４（ｂ）に示すように、スルー画像１０Ａの余白領域１１Ａに、撮影済みの画像のサムネイル画像２０Ａ〜２０Ｃが表示される。この場合、サムネイル画像２０Ａ〜２０Ｃは不透明である。サムネイル画像２０Ａ〜２０Ｃはスルー画像１０Ａの余白領域１１Ａに表示されるため、スルー画像１０Ａの表示を妨げない。なお、図６（ｂ）のスルー画像１０Ａは、図６（ａ）の表示位置から上側へずらして表示される。
【００２３】
−再生モード−
次に、本発明の実施形態における再生モード時の表示モニタ３０１の画像表示について説明する。再生モード時の表示モニタ３０１の画像表示も、表示モニタ３０１のアスペクト比と表示画像のアスペクト比との関係によって異なる。
【００２４】
表示モニタ３０１Ａのアスペクト比が１６対９であり、再生画像３０Ａのアスペクト比も１６対９である場合について図７（ａ）を参照して説明する。再生画像３０Ａが表示モニタ３０１に表示されているとき、クイックビューボタン４０５を押圧する。その結果、図７（ａ）に示すように、再生画像３０Ａに重ねて、撮影済みの画像のサムネイル画像２０Ａ〜２０Ｃが表示される。サムネイル画像２０Ａ〜２０Ｃは半透明で表示されるため、再生画像３０Ａのサムネイル画像２０Ａ〜２０Ｃと重なった部分についても視認可能となる。
【００２５】
表示モニタ３０１Ａのアスペクト比が１６対９であり、再生画像３０Ｂのアスペクト比が４対３である場合について図７（ｂ）を参照して説明する。再生画像３０Ｂが表示モニタ３０１に表示されているとき、クイックビューボタン４０５を押圧する。その結果、図７（ｂ）に示すように、再生画像３０Ｂの余白領域３１Ｂに、撮影済みの画像のサムネイル画像２０Ａ〜２０Ｃが表示される。この場合、サムネイル画像２０Ａ〜２０Ｃは不透明である。サムネイル画像２０Ａ〜２０Ｃは再生画像３０Ｂの余白領域３１Ｂに表示されるため、再生画像３０Ｂの表示を妨げない。
【００２６】
表示モニタ３０１Ｂのアスペクト比が４対３であり、再生画像３０Ｂのアスペクト比も４対３である場合について図８（ａ）を参照して説明する。再生画像３０Ｂが表示モニタ３０１に表示されているとき、クイックビューボタン４０５を押圧する。その結果、図８（ａ）に示すように、再生画像３０Ｂに重ねて、撮影済みの画像のサムネイル画像２０Ａ〜２０Ｃが表示される。サムネイル画像２０Ａ〜２０Ｃは半透明で表示されるため、再生画像３０Ｂのサムネイル画像２０Ａ〜２０Ｃと重なった部分についても視認可能となる。
【００２７】
表示モニタ３０１Ｂのアスペクト比が４対３であり、再生画像３０Ａのアスペクト比が１６対９である場合について図８（ｂ）を参照して説明する。再生画像３０Ａが表示モニタ３０１に表示されているとき、クイックビューボタン４０５を押圧する。その結果、図８（ｂ）に示すように、再生画像３０Ａの余白領域３１Ａに、撮影済みの画像のサムネイル画像２０Ａ〜２０Ｃが表示される。この場合、サムネイル画像２０Ａ〜２０Ｃは不透明である。サムネイル画像２０Ａ〜２０Ｃはスルー画像１０Ａの余白領域３１Ａに表示されるため、再生画像３０Ａの表示を妨げない。
【００２８】
次に、本発明の実施形態における画像表示制御処理について、図９のフローチャートを参照して説明する。図９の処理は、クイックビューボタン４０５が押圧されるとスタートするプログラムによりシステムＬＳＩ２０１において実行される。
【００２９】
ステップＳ９０１では、撮影済みの画像のサムネイル画像２０Ａ〜２０Ｃをメモリカード５００から読み出す。ステップＳ９０２では、撮影モードのときはスルー画像１０Ａ，１０Ｂ、再生モードのときは再生画像３０Ａ，３０Ｂのアスペクト比を検出する。スルー画像１０Ａ，１０Ｂのアスペクト比は、表示モニタ３０１に設定されている表示画像のアスペクト比である。再生画像３０Ａ，３０Ｂのアスペクト比は、再生画像３０Ａ，３０ＢのＥｘｉｆ情報に含まれている画像幅および画像高さの情報から検出する。
【００３０】
ステップＳ９０３では、スルー画像１０Ａ，１０Ｂまたは再生画像３０Ａ，３０Ｂのアスペクト比が表示モニタ３０１のアスペクト比と略同じであるか否かを判定する。スルー画像１０Ａ，１０Ｂまたは再生画像３０Ａ，３０Ｂのアスペクト比が表示モニタ３０１のアスペクト比と略同じである場合はステップＳ９０３が肯定判定され、ステップＳ９０４へ進む。スルー画像１０Ａ，１０Ｂまたは再生画像３０Ａ，３０Ｂのアスペクト比が表示モニタ３０１のアスペクト比と異なる場合はステップＳ９０３が否定判定され、ステップＳ９０５へ進む。
【００３１】
ステップＳ９０４では、半透明の状態で、スルー画像１０Ａ，１０Ｂまたは再生画像３０Ａ，３０Ｂに重ねてサムネイル画像２０Ａ〜２０Ｃを表示モニタ３０１に表示する。そして、ステップＳ９０６へ進む。
【００３２】
ステップＳ９０５では、表示モニタ３０１の余白領域にサムネイル画像２０Ａ〜２０Ｃを表示する。そして、ステップＳ９０６へ進む。
【００３３】
ステップＳ９０６では、クイックビューボタン４０５が押圧されたか否かを判定する。クイックビューボタン４０５が押圧された場合はステップＳ９０６が肯定判定され、ステップＳ９０７に進む。クイックビューボタン４０５が押圧されていない場合はステップＳ９０６を繰り返す。ステップＳ９０７では、サムネイル画像２０Ａ〜２０Ｃの表示を終了する。そして、本発明の実施形態における画像表示制御処理を終了する。
【００３４】
以上説明した実施形態によれば、次の作用効果が得られる。
（１）表示モニタ３０１Ａ，３０１Ｂのアスペクト比と、スルー画像１０Ａ，１０Ｂのアスペクト比または再生画像３０Ａ，３０Ｂのアスペクト比とが略等しい場合は、次のように表示制御するようにした。スルー画像１０Ａ，１０Ｂまたは再生画像３０Ａ，３０Ｂに重ねて、スルー画像１０Ａ，１０Ｂまたは再生画像３０Ａ，３０Ｂより小さい小画像として、メモリカード５００に記録された画像データの半透明のサムネイル画像２０Ａ〜２０Ｃを表示モニタ３０１Ａ，３０１Ｂに表示する。したがって、サムネイル画像２０Ａ〜２０Ｃを表示するために、スルー画像１０Ａ，１０Ｂまたは再生画像３０Ａ，３０Ｂを縮小し、表示画面に余白領域１１Ａ，１１Ｂ，３１Ａ，３１Ｂを設ける必要がない。また、スルー画像１０Ａ，１０Ｂもしくは再生画像３０Ａ，３０Ｂのサムネイル画像２０Ａ〜２０Ｃが重なった部分を視認することができる。
【００３５】
一方、表示モニタ３０１Ａ，３０１Ｂのアスペクト比と、スルー画像１０Ａ，１０Ｂのアスペクト比または再生画像３０Ａ，３０Ｂのアスペクト比とが異なる場合は、次のように表示制御するようにした。スルー画像１０Ａ，１０Ｂが表示されていない余白領域１１Ａ，１１Ｂまたは再生画像３０Ａ，３０Ｂが表示されていない余白領域３１Ａ，３１Ｂに、スルー画像１０Ａ，１０Ｂまたは再生画像３０Ａ，３０Ｂより小さい小画像として、スルー画像１０Ａ，１０Ｂまたは再生画像３０Ａ，３０Ｂに重さならないように、メモリカード５００に記録された画像データのサムネイル画像２０Ａ〜２０Ｃを表示モニタ３０１Ａ，３０１Ｂに表示する。これにより、スルー画像１０Ａ，１０Ｂもしくは再生画像３０Ａ，３０Ｂに重なることなくサムネイル画像２０Ａ〜２０Ｃを表示することができる。
【００３６】
（２）不図示のメニューにより、撮像画像のアスペクト比を１６対９および４対３のいずれか一方に設定できる。したがって、被写体に最適なアスペクト比に撮像画像のアスペクト比を切り替えることができ、撮像装置１の利便性が向上する。
【００３７】
以上の実施形態を次のように変形することができる。
（１）表示モニタ３０１Ａ，３０１Ｂのアスペクト比とスルー画像１０Ａ，１０Ｂもしくは再生画像３０Ａ，３０Ｂのアスペクト比が略等しいとき、不透明でサムネイル画像２０Ａ〜２０Ｃを表示モニタ３０１Ａ，３０１Ｂに表示するようにしてもよい。この場合も、サムネイル画像２０Ａ〜２０Ｃを表示するために、スルー画像１０Ａ，１０Ｂまたは再生画像３０Ａ，３０Ｂを縮小し、表示画面に余白領域１１Ａ，１１Ｂ，３１Ａ，３１Ｂを設ける必要がない。
【００３８】
（２）スルー画像１０Ａ，１０Ｂまたは再生画像３０Ａ，３０Ｂとともに表示するサムネイル画像２０Ａ〜２０Ｃの枚数は３枚に限定されず、１枚もしくは複数枚の中から適宜選択することができる。
【００３９】
（３）スルー画像１０Ａ，１０Ｂとともにサムネイル画像２０Ａ〜２０Ｃを表示したが、スルー画像１０Ａ，１０Ｂとともに、撮像装置１に設定されている撮影モードや撮影設定条件を表示した設定情報表示画面を表示するようにしてもよい。この場合も、表示モニタ３０１Ａ，３０１Ｂのアスペクト比とスルー画像１０Ａ，１０Ｂのアスペクト比との関係によって、設定情報表示画面の表示態様は異なる。
【００４０】
表示モニタ３０１Ａのアスペクト比が１６対９であり、スルー画像１０Ａのアスペクト比も１６対９である場合について図１０（ａ）を参照して説明する。設定情報表示画面４０Ａは、スルー画像１０Ａに重ねて表示される。設定情報表示画面４０Ａは半透明で表示されるため、スルー画像１０Ａの設定情報表示画面４０Ａと重なった部分についても視認可能となる。
【００４１】
表示モニタ３０１Ａのアスペクト比が１６対９であり、スルー画像１０Ｂのアスペクト比も４対３である場合について図１０（ｂ）を参照して説明する。設定情報表示画面４０Ａは、表示モニタ３０１Ａのスルー画像１０Ｂが表示されていない余白領域１１Ｂに表示される。この場合、設定情報表示画面４０Ａは不透明である。設定情報表示画面４０Ａはスルー画像１０Ｂの余白領域１１Ｂに表示されるため、スルー画像１０Ｂの表示を妨げない。
【００４２】
表示モニタ３０１Ｂのアスペクト比が４対３であり、スルー画像１０Ｂのアスペクト比も４対３である場合について図１１（ａ）を参照して説明する。設定情報表示画面４０Ｂは、スルー画像１０Ｂに重ねて表示される。設定情報表示画面４０Ｂは半透明で表示されるため、スルー画像１０Ｂの設定情報表示画面４０Ｂと重なった部分についても視認可能となる。
【００４３】
表示モニタ３０１Ｂのアスペクト比が４対３であり、スルー画像１０Ａのアスペクト比が１６対９である場合について図１１（ｂ）を参照して説明する。設定情報表示画面４０Ｂは、表示モニタ３０１Ｂのスルー画像１０Ａが表示されていない余白領域１１Ａに表示される。この場合、設定情報表示画面４０Ｂは不透明である。設定情報表示画面４０Ｂはスルー画像１０Ａの余白領域１１Ａに表示されるため、スルー画像１０Ａの表示を妨げない。
【００４４】
（４）再生画像３０Ａ，３０Ｂとともにサムネイル画像２０Ａ〜２０Ｃを表示したが、再生画像３０Ａ，３０Ｂとともに、再生画像３０Ａ，３０ＢのＥＸｉｆ情報などの画像情報を表示した画像情報表示画面を表示するようにしてもよい。この場合も、表示モニタ３０１Ａ，３０１Ｂのアスペクト比と再生画像３０Ａ，３０Ｂのアスペクト比との関係によって、画像情報表示画面の表示態様は異なる。
【００４５】
表示モニタ３０１Ａのアスペクト比が１６対９であり、再生画像３０Ａのアスペクト比も１６対９である場合について図１２（ａ）を参照して説明する。画像情報表示画面５０Ａは、再生画像３０Ａに重ねて表示される。画像情報表示画面５０Ａは半透明で表示されるため、再生画像３０Ａの画像情報表示画面５０Ａと重なった部分についても視認可能となる。
【００４６】
表示モニタ３０１Ａのアスペクト比が１６対９であり、再生画像３０Ｂのアスペクト比が４対３である場合について図１２（ｂ）を参照して説明する。画像情報表示画面５０Ａは、表示モニタ３０１Ａの再生画像３０Ｂが表示されていない余白領域３１Ｂに表示される。この場合、画像情報表示画面５０Ａは不透明である。画像情報表示画面５０Ａは再生画像３０Ｂの余白領域３１Ｂに表示されるため、再生画像３０Ｂの表示を妨げない。
【００４７】
表示モニタ３０１Ｂのアスペクト比が４対３であり、再生画像３０Ｂのアスペクト比も４対３である場合について図１３（ａ）を参照して説明する。画像情報表示画面５０Ｂは、再生画像３０Ｂに重ねて表示される。画像情報表示画面５０Ｂは半透明で表示されるため、再生画像３０Ｂの画像情報表示画面５０Ｂと重なった部分についても視認可能となる。
【００４８】
表示モニタ３０１Ｂのアスペクト比が４対３であり、再生画像３０Ａのアスペクト比が１６対９である場合について図１３（ｂ）を参照して説明する。画像情報表示画面５０Ｂは、表示モニタ３０１Ｂの再生画像３０Ａが表示されていない余白領域３１Ａに表示される。この場合、画像情報表示画面５０Ｂは不透明である。画像情報表示画面５０Ｂは再生画像３０Ａの余白領域３１Ａに表示されるため、再生画像３０Ａの表示を妨げない。
【００４９】
（５）スルー画像１０Ａ，１０Ｂもしくは再生画像３０Ａ，３０Ｂとともにサムネイル画像２０Ａ〜２０Ｃを表示したが、スルー画像１０Ａ，１０Ｂもしくは再生画像３０Ａ，３０Ｂとともに、撮影条件や再生条件を設定するための設定メニューを表示するようにしてもよい。この場合も、表示モニタ３０１Ａ，３０１Ｂのアスペクト比とスルー画像１０Ａ，１０Ｂもしくは再生画像３０Ａ，３０Ｂのアスペクト比との関係によって、設定メニューの表示態様は異なる。例として、スルー画像１０Ａ，１０Ｂとともに、ホワイトバランスを設定するための設定メニューを表示する場合について図１４および図１５を参照して説明する。設定メニューの項目は選択スイッチ４０４の操作によって選択される。
【００５０】
表示モニタ３０１Ａのアスペクト比が１６対９であり、スルー画像１０Ａのアスペクト比も１６対９である場合について図１４（ａ）を参照して説明する。設定メニュー６０Ａは、スルー画像１０Ａに重ねて表示される。設定メニュー６０Ａは半透明で表示されるため、スルー画像１０Ａの設定メニュー６０Ａと重なった部分についても視認可能となる。
【００５１】
表示モニタ３０１Ａのアスペクト比が１６対９であり、スルー画像１０Ｂのアスペクト比が４対３である場合について図１４（ｂ）を参照して説明する。設定メニュー６０Ａは、表示モニタ３０１Ａのスルー画像１０Ｂが表示されていない余白領域１１Ｂに表示される。この場合、設定メニュー６０Ａは不透明である。設定メニュー６０Ａはスルー画像１０Ｂの余白領域１１Ｂに表示されるため、スルー画像１０Ｂの表示を妨げない。
【００５２】
表示モニタ３０１Ｂのアスペクト比が４対３であり、スルー画像１０Ｂのアスペクト比も４対３である場合について図１５（ａ）を参照して説明する。設定メニュー６０Ｂは、スルー画像１０Ｂに重ねて表示される。設定メニュー６０Ｂは半透明で表示されるため、スルー画像１０Ｂの設定メニュー６０Ｂと重なった部分についても視認可能となる。
【００５３】
表示モニタ３０１Ｂのアスペクト比が４対３であり、スルー画像１０Ａのアスペクト比が１６対９である場合について図１５（ｂ）を参照して説明する。設定メニュー６０Ｂは、表示モニタ３０１Ｂのスルー画像１０Ａが表示されていない余白領域１１Ａに表示される。この場合、設定メニュー６０Ｂは不透明である。設定メニュー６０Ｂはスルー画像１０Ａの余白領域１１Ａに表示されるため、スルー画像１０Ａの表示を妨げない。
【００５４】
（６）スルー画像１０Ａ，１０Ｂもしくは再生画像３０Ａ，３０Ｂの一部を拡大して表示モニタ３０１Ａ，３０１Ｂに表示する場合、画像の中で拡大部分の範囲を表示した縮小画面を表示してもよい。この場合、表示モニタ３０１Ａ，３０１Ｂのアスペクト比と、スルー画像１０Ａ，１０Ｂの拡大画像もしくは再生画像３０Ａ，３０Ｂの拡大画像のアスペクト比との関係によって、縮小画面の表示態様は異なる。例として、再生画像３０Ａ，３０Ｂの一部を拡大した拡大画像とともに、縮小画像を表示する場合について図１６および図１７を参照して説明する。縮小画像には、拡大画像の範囲が枠として表示される。枠の位置は選択スイッチ４０４の操作によって移動することができる。枠の位置を移動することによって、再生画像３０Ａ，３０Ｂ内で拡大する領域を変更することができる。
【００５５】
表示モニタ３０１Ａのアスペクト比が１６対９であり、再生画像３０Ａの拡大画像３２Ａのアスペクト比も１６対９である場合について図１６（ａ）を参照して説明する。再生画像３０Ａの縮小画像３３Ａは、再生画像３０Ａの拡大画像３２Ａに重ねて表示される。縮小画像３３Ａには、再生画像３０Ａの拡大された範囲を示す枠３４Ａが表示される。縮小画像３３Ａは半透明で表示されるため、拡大画像３２Ａの縮小画像３３Ａと重なった部分についても視認可能となる。
【００５６】
表示モニタ３０１Ａのアスペクト比が１６対９であり、再生画像３０Ｂの拡大画像３２Ｂのアスペクト比が４対３である場合について図１６（ｂ）を参照して説明する。再生画像３０Ｂの縮小画像３３Ｂは、表示モニタ３０１Ａの拡大画像３２Ｂが表示されていない余白領域３１Ｂに表示される。縮小画像３３Ｂには、再生画像３０Ｂの拡大された範囲を示す枠３４Ｂが表示される。この場合、縮小画像３３Ｂは不透明である。縮小画像３３Ｂは拡大画像３２Ｂの余白領域３１Ｂに表示されるため、拡大画像３２Ｂの表示を妨げない。
【００５７】
表示モニタ３０１Ｂのアスペクト比が４対３であり、再生画像３０Ｂの拡大画像３２Ｂのアスペクト比も４対３である場合について図１７（ａ）を参照して説明する。再生画像３０Ｂの縮小画像３３Ｂは、再生画像３０Ｂの拡大画像３２Ｂに重ねて表示される。縮小画像３３Ｂは半透明で表示されるため、拡大画像３２Ｂの縮小画像３３Ｂと重なった部分についても視認可能となる。
【００５８】
表示モニタ３０１Ｂのアスペクト比が４対３であり、再生画像３０Ａの拡大画像３２Ａのアスペクト比が１６対９である場合について図１７（ｂ）を参照して説明する。再生画像３０Ａの縮小画像３３Ａは、表示モニタ３０１Ｂの拡大画像３２Ａが表示されていない余白領域３１Ａに表示される。この場合、縮小画像３３Ａは不透明である。縮小画像３３Ａは拡大画像３２Ａの余白領域３１Ａに表示されるため、拡大画像３２Ａの表示を妨げない。
【００５９】
（７）再生画像３０Ａ，３０Ｂを表示するとき、スルー画像１０Ａ，１０Ｂの縮小画像を表示できるようにしてもよい。この場合、表示モニタ３０１Ａ，３０１Ｂのアスペクト比と再生画像３０Ａ，３０Ｂのアスペクト比との関係によって、スルー画像１０Ａ，１０Ｂの縮小画像の表示態様は異なる。例として、再生画像３０Ａ，３０Ｂとともにスルー画像１０Ｂの縮小画像を表示する場合について図１８および図１９を参照して説明する。
【００６０】
表示モニタ３０１Ａのアスペクト比が１６対９であり、再生画像３０Ａのアスペクト比も１６対９である場合について図１８（ａ）を参照して説明する。図５（ａ）に示したスルー画像１０Ｂの縮小画像１２Ｂは、再生画像３０Ａに重ねて表示される。縮小画像１２Ｂは半透明で表示されるため、再生画像３０Ａの縮小画像１２Ｂと重なった部分についても視認可能となる。
【００６１】
表示モニタ３０１Ａのアスペクト比が１６対９であり、再生画像３０Ｂのアスペクト比が４対３である場合について図１８（ｂ）を参照して説明する。図５（ａ）に示したスルー画像１０Ｂの縮小画像１２Ｂは、表示モニタ３０１Ａの再生画像３０Ｂが表示されていない余白領域３１Ｂに表示される。この場合、縮小画像１２Ｂは不透明である。縮小画像１２Ｂは再生画像３０Ｂの余白領域３１Ｂに表示されるため、再生画像３０Ｂの表示を妨げない。
【００６２】
表示モニタ３０１Ｂのアスペクト比が４対３であり、再生画像３０Ｂのアスペクト比も４対３である場合について図１９（ａ）を参照して説明する。図５（ａ）に示したスルー画像１０Ｂの縮小画像１２Ｂは、再生画像３０Ｂに重ねて表示される。縮小画像１２Ｂは半透明で表示されるため、再生画像３０Ｂの縮小画像１２Ｂと重なった部分についても視認可能となる。
【００６３】
表示モニタ３０１Ｂのアスペクト比が４対３であり、再生画像３０Ａのアスペクト比が１６対９である場合について図１９（ｂ）を参照して説明する。図５（ａ）に示したスルー画像１０Ｂの縮小画像１２Ｂは、表示モニタ３０１Ｂの再生画像３０Ａが表示されていない余白領域３１Ａに表示される。この場合、縮小画像１２Ｂは不透明である。縮小画像１２Ｂは再生画像３０Ａの余白領域３１Ａに表示されるため、再生画像３０Ａの表示を妨げない。
【００６４】
（８）スルー画像１０Ａ，１０Ｂとともに表示されている再生画像のサムネイル画像を選択すると、そのサムネイル画像に係る再生画像が再生主画像として表示モニタ３０１Ａ，３０１Ｂに表示されるようにしてもよい。そして、サムネイル画像に係る再生主画像が表示されると、スルー画像１０Ａ，１０Ｂを縮小画像として再生主画像とともに表示するようにしてもよい。この場合、表示モニタ３０１Ａ，３０１Ｂのアスペクト比と選択されたサムネイル画像に係る再生画像のアスペクト比との関係によって、スルー画像１０Ａ，１０Ｂの縮小画像の表示態様は異なる。例として、スルー画像１０Ａ，１０Ｂとともにサムネイル画像２０Ｂ〜２０Ｄを表示する場合について図２０および図２１を参照して説明する。サムネイル画像２０Ｂ〜２０Ｄは、選択スイッチ４０４を操作して選択できる。
【００６５】
表示モニタ３０１Ａのアスペクト比が１６対９である場合について図２０および図２１を参照して説明する。図２０（ａ）に示すように、サムネイル画像２０Ｂ〜２０Ｄの中から再生画像のアスペクト比が１６対９であるサムネイル画像２０Ｄが選択されたものとする。その結果、図２０（ｂ）に示すように、図２０（ａ）に示したスルー画像１０Ａの縮小画像１２Ａは、サムネイル画像２０Ｄに係る再生画像３０Ａに重ねて表示される。縮小画像１２Ａは半透明で表示されるため、再生画像３０Ａの縮小画像１２Ａと重なった部分についても視認可能となる。
【００６６】
一方、図２１（ａ）に示すように、サムネイル画像２０Ｂ〜２０Ｄの中から再生画像のアスペクト比が４対３であるサムネイル画像２０Ｂが選択されたものとする。その結果、図２１（ｂ）に示すように、図２１（ａ）に示したスルー画像１０Ａの縮小画像１２Ａは、表示モニタ３０１Ａのサムネイル画像２０Ｂに係る再生画像３０Ｃが表示されていない余白領域３１Ｃに表示される。この場合、縮小画像１２Ａは不透明である。縮小画像１２Ａは再生画像３０Ｃの余白領域３１Ｃに表示されるため、再生画像３０Ｃの表示を妨げない。
【００６７】
表示モニタ３０１Ｂのアスペクト比が４対３である場合について図２２および図２３を参照して説明する。図２２（ａ）に示すように、サムネイル画像２０Ｂ〜２０Ｄの中から再生画像のアスペクト比が１６対９であるサムネイル画像２０Ｄが選択されたものとする。その結果、図２２（ｂ）に示すように、図２２（ａ）に示すスルー画像１０Ｂの縮小画像１２Ｂは、表示モニタ３０１Ａのサムネイル画像２０Ｄに係る再生画像３０Ａが表示されていない余白領域３１Ａに表示される。この場合、縮小画像１２Ｂは不透明である。縮小画像１２Ｂは再生画像３０Ａの余白領域３１Ａに表示されるため、再生画像３０Ａの表示を妨げない。
【００６８】
一方、図２３（ａ）に示すように、サムネイル画像２０Ｂ〜２０Ｄの中から再生画像のアスペクト比が４対３であるサムネイル画像２０Ｂが選択されたものとする。その結果、図２３（ｂ）に示すように、図２３（ａ）に示すスルー画像１０Ｂの縮小画像１２Ｂは、サムネイル画像２０Ｂに係る再生画像３０Ｃに重ねて表示される。縮小画像１２Ｂは半透明で表示されるため、再生画像３０Ｃの縮小画像１２Ｂと重なった部分についても視認可能となる。
【００６９】
（９）スルー画像１０Ａ，１０Ｂもしくは再生画像３０Ａ，３０Ｂに重畳して表示するサムネイル画像２０Ａ〜２０Ｃの表示位置をスルー画像１０Ａ，１０Ｂもしくは再生画像３０Ａ，３０Ｂに応じて変化させるようにしてもよい。スルー画像１０Ａ，１０Ｂもしくは再生画像３０Ａ，３０Ｂの中には、半透明の画像であっても重畳すると好ましくない位置がある。上述のように、サムネイル画像２０Ａ〜２０Ｃの表示位置を変化させることによって、スルー画像１０Ａ，１０Ｂもしくは再生画像３０Ａ，３０Ｂの視認性がさらに良くなる。
【００７０】
たとえば、スルー画像１０Ａ，１０Ｂもしくは再生画像３０Ａ，３０Ｂに重畳して表示するサムネイル画像２０Ａ〜２０Ｃの表示位置を、顔認識を行った位置、または焦点を合わせた位置（焦点調整領域）と重複しない位置に変更することが好ましい。顔認識機能を使用して撮影したとき、図２４（ａ）に示すように、顔認識を行い、焦点調節位置（顔認識マーク１３Ａが重畳している顔の位置）とサムネイル画像２０Ａ〜２０Ｃが重なる場合がある。このような場合、図１０（ｂ）に示すように、サムネイル画像２０Ａ〜２０Ｃの表示位置を、顔認識を行った顔の位置、または焦点を合わせた位置から外れるように変化させてもよい。焦点が被写体に合っているか否かを確認できる。
【００７１】
（１０）スルー画像１０Ａ，１０Ｂもしくは再生画像３０Ａ，３０Ｂに重畳して表示するサムネイル画像２０Ａ〜２０Ｃは、半透明であるため視認性がよくない。そこで、サムネイル画像２０Ａ〜２０Ｃの視認性を良くするため、半透明化に加えて視認性を向上するための他の画像処理を行うようにしてもよい。
【００７２】
たとえば、図２５に示すように、サムネイル画像２０Ａ〜２０Ｃを半透明にするとともに、サムネイル画像２０Ａ〜２０Ｃのコントラストを強くしたり（ガンマ補正）、サムネイル画像２０Ａのシャープネスを強くしたり（輪郭強調）するようにしてもよい。
【００７３】
図２６（ａ）に示すように、スルー画像１０Ｃの背景色と、サムネイル画像２０Ｅ〜２０Ｇの背景色が同じであるため、サムネイル画像２０Ｅ〜２０Ｇの視認性が悪い場合がある。このような場合は、図２６（ｂ）に示すように、スルー画像１０Ｃと明度、彩度、色相、輝度の中の少なくともひとつを変えてサムネイル画像２０Ｅ〜２０Ｇを表示するようにしてもよい。色相を変えてサムネイル画像２０Ｅ〜２０Ｇを表示する場合、スルー画像１０Ｃと補色関係にある色彩で表示するようにする。たとえば、スルー画像１０Ｃが青色の色味を有している場合、サムネイル画像２０Ｅ〜２０Ｇは黄色の色味で表示するようにしてもよい。
【００７４】
（１１）スルー画像１０Ａ，１０Ｂもしくは再生画像３０Ａ，３０Ｂの明度、彩度、色相、輝度のうちの少なくともひとつに応じて、スルー画像１０Ａ，１０Ｂもしくは再生画像３０Ａ，３０Ｂに重畳して表示するサムネイル画像２０Ｅ〜２０Ｇの透過率を変化させるようにしてもよい。たとえば、図２７に示すように、スルー画像１０Ｄが空を撮影した画像である場合、サムネイル画像２０Ａ〜２０Ｃの透過率を半透明より大きくしてもサムネイル画像２０Ａ〜２０Ｃの視認性は悪くならない。このような場合、スルー画像１０Ｃの視認性をさらに良くするため、サムネイル画像２０Ａの透過率を大きくしてもよい。また、サムネイル画像２０Ａの透過率を変化させるとともに、上述の半透明化以外の画像処理を行うようにしてもよい。
【００７５】
（１２）再生画像３０Ａ，３０Ｂとともに、再生画像３０Ａ，３０Ｂと前後して再生することになる再生画像のサムネイル画像を表示するようにしてもよい。再生画像３０Ａ，３０Ｂと前後して再生される再生画像のサムネイル画像は、表示モニタ３０１Ａのアスペクト比が１６対９の場合、以下のように表示される。
【００７６】
再生画像３０Ａのアスペクト比も１６対９である場合、図２８（ａ）に示すように、再生画像３０Ａと前後して表示される再生画像のサムネイル画像２０Ｈ，２０Ｉは、半透明で、再生画像３０Ａに重畳して表示される。したがって、再生画像３０Ａのサムネイル画像２０Ｈ，２０Ｉと重なった部分についても視認可能となる。
【００７７】
再生画像３０Ａのアスペクト比が４対３である場合、図２８（ｂ）に示すように、再生画像３０Ｂと前後して表示される再生画像のサムネイル画像２０Ｊ，２０Ｋは、再生画像３０Ｂが表示されていない余白領域３５Ｂに表示される。したがって、サムネイル画像２０Ｊ，２０Ｋは再生画像３０Ｂの表示を妨げない。サムネイル画像２０Ｊ，２０Ｋのうちのどちらのサムネイル画像が再生画像３０Ｂの次に表示されるか認識できるようにするため、再生方向マーク３６Ｂを余白領域３５Ｂに表示するようにしてもよい。
【００７８】
（１３）パノラマサイズの写真と同様のアスペクト比のスルー画像もしくは再生画像を表示するときは、アスペクト比が１９：６であるスルー画像もしくは再生画像と同様とする。フルサイズの写真と同様のアスペクト比のスルー画像もしくは再生画像を表示するときは、アスペクト比が４：３であるスルー画像もしくは再生画像と同様とする。
【００７９】
（１４）スルー画像１０Ａ，１０Ｂもしくは再生画像３０Ａ，３０Ｂとともにサムネイル画像２０Ａ〜２０Ｃも視認することができれば、半透明の副画像の透過率は実施形態に限定されない。
【００８０】
（１５）スルー画像１０Ａ，１０Ｂもしくは再生画像３０Ａ，３０Ｂとともに表示する副画像２０Ａ〜２０Ｃは、スルー画像１０Ａ，１０Ｂもしくは再生画像３０Ａ，３０Ｂの大きさより小さい画像であれば、サムネイル画像に限定されない。
【００８１】
（１６）スルー画像１０Ａ，１０Ｂもしくは再生画像３０Ａ，３０Ｂを表示する表示装置であれば、撮像装置１に限定されない。
【００８２】
以上の説明はあくまで一例であり、本発明は上記実施形態の構成に何ら限定されるものではない。
【図面の簡単な説明】
【００８３】
【図１】本発明の一実施の形態による撮像装置を前方および後方から見た図である。
【図２】撮像装置の構成を説明するブロック図である。
【図３】本発明の実施形態の表示モニタのアスペクト比が１６対９であり、スルー画像のアスペクト比が１６対９である場合のサムネイル画像の表示を説明するための図である。
【図４】本発明の実施形態の表示モニタのアスペクト比が１６対９であり、スルー画像のアスペクト比が４対３である場合のサムネイル画像の表示を説明するための図である。
【図５】本発明の実施形態の表示モニタのアスペクト比が４対３であり、スルー画像のアスペクト比が４対３である場合のサムネイル画像の表示を説明するための図である。
【図６】本発明の実施形態の表示モニタのアスペクト比が４対３であり、スルー画像のアスペクト比が１６対９である場合のサムネイル画像の表示を説明するための図である。
【図７】本発明の実施形態の表示モニタのアスペクト比が１６対９である場合の再生画像とともに表示するサムネイル画像の表示を説明するための図である。
【図８】本発明の実施形態の表示モニタのアスペクト比が４対３である場合の再生画像とともに表示するサムネイル画像の表示を説明するための図である。
【図９】本発明の実施形態における画像表示制御処理を説明するためのフローチャートである。
【図１０】本発明の実施形態の表示モニタのアスペクト比が１６対９である場合のスルー画像とともに表示する設定情報表示画面の表示を説明するための図である。
【図１１】本発明の実施形態の表示モニタのアスペクト比が４対３である場合のスルー画像とともに表示する設定情報表示画面の表示を説明するための図である。
【図１２】本発明の実施形態の表示モニタのアスペクト比が１６対９である場合の再生画像とともに表示する画像情報表示画面の表示を説明するための図である。
【図１３】本発明の実施形態の表示モニタのアスペクト比が４対３である場合の再生画像とともに表示する画像情報表示画面の表示を説明するための図である。
【図１４】本発明の実施形態の表示モニタのアスペクト比が１６対９である場合のスルー画像とともに表示する設定メニューの表示を説明するための図である。
【図１５】本発明の実施形態の表示モニタのアスペクト比が４対３である場合のスルー画像とともに表示する設定メニューの表示を説明するための図である。
【図１６】本発明の実施形態の表示モニタのアスペクト比が１６対９である場合の再生画像の拡大画像とともに表示する再生画像の縮小画像の表示を説明するための図である。
【図１７】本発明の実施形態の表示モニタのアスペクト比が４対３である場合の再生画像の拡大画像とともに表示する再生画像の縮小画像の表示を説明するための図である。
【図１８】本発明の実施形態の表示モニタのアスペクト比が１６対９である場合の再生画像とともに表示するスルー画像の縮小画像の表示を説明するための図である。
【図１９】本発明の実施形態の表示モニタのアスペクト比が４対３である場合の再生画像とともに表示するスルー画像の縮小画像の表示を説明するための図である。
【図２０】本発明の実施形態の表示モニタのアスペクト比が１６対９である場合に、選択されたサムネイル画像に係る再生画像のアスペクト比が１６対９のときのスルー画像の縮小画像の表示を説明するための図である。
【図２１】本発明の実施形態の表示モニタのアスペクト比が１６対９である場合に、選択されたサムネイル画像に係る再生画像のアスペクト比が４対３のときのスルー画像の縮小画像の表示を説明するための図である。
【図２２】本発明の実施形態の表示モニタのアスペクト比が４対３である場合に、選択されたサムネイル画像に係る再生画像のアスペクト比が１６対９のときのスルー画像の縮小画像の表示を説明するための図である。
【図２３】本発明の実施形態の表示モニタのアスペクト比が４対３である場合に、選択されたサムネイル画像に係る再生画像のアスペクト比が４対３のときのスルー画像の縮小画像の表示を説明するための図である。
【図２４】スルー画像に重畳して表示されたサムネイル画像の表示位置の変更を説明するための図である。
【図２５】スルー画像に重畳して表示されたサムネイル画像のガンマ補正または輪郭強調を説明するための図である。
【図２６】スルー画像に重畳して表示されたサムネイル画像の明度、彩度、色相、輝度の中の少なくともひとつの変更を説明するための図である。
【図２７】スルー画像に重畳して表示するサムネイル画像の透過率の変更を説明するための図である。
【図２８】再生画像とともに表示する再生画像と前後して表示する再生画像のサムネイル画像の表示を説明するための図である。
【符号の説明】
【００８４】
１  撮像装置
１００  撮像部
１０１Ａ  撮影レンズ
２００  デジタル回路部
３００  画像再生部
３０１，３０１Ａ，３０１Ｂ  表示モニタ
４００  操作部
４０２  撮影再生切替ボタン
４０３  メニューボタン
４０４  選択スイッチ
４０５  クイックビューボタン
５００  メモリカード
【図１】
2008294705.tif 000003
【図２】
2008294705.tif 000004
【図３】
2008294705.tif 000005
【図４】
2008294705.tif 000006
【図５】
2008294705.tif 000007
【図６】
2008294705.tif 000008
【図７】
2008294705.tif 000009
【図８】
2008294705.tif 000010
【図９】
2008294705.tif 000011
【図１０】
2008294705.tif 000012
【図１１】
2008294705.tif 000013
【図１２】
2008294705.tif 000014
【図１３】
2008294705.tif 000015
【図１４】
2008294705.tif 000016
【図１５】
2008294705.tif 000017
【図１６】
2008294705.tif 000018
【図１７】
2008294705.tif 000019
【図１８】
2008294705.tif 000020
【図１９】
2008294705.tif 000021
【図２０】
2008294705.tif 000022
【図２１】
2008294705.tif 000023
【図２２】
2008294705.tif 000024
【図２３】
2008294705.tif 000025
【図２４】
2008294705.tif 000026
【図２５】
2008294705.tif 000027
【図２６】
2008294705.tif 000028
【図２７】
2008294705.tif 000029
【図２８】
2008294705.tif 000030